(57)【要約】【課題】  他の撮像装置との間で無線通信による画像の送受信が可能な撮像装置において、他の撮像装置を接続先として登録する処理を行う際に、自機のニックネームをユーザに表示でき、必要に応じて自機のニックネームを簡単に変更できるようにすること。【解決手段】  本発明の撮像装置では、接続先となる他の撮像装置の登録を行う際に、自機のニックネームを表示し、自機のＵＩ上で自機のニックネームの変更を行うことが可能な構成とした。また、接続先の撮像装置に同じニックネームが登録されている場合には、自機のニックネームを変更することが可能な構成とした。また、自機に複数のニックネームを登録することで、登録先の撮像装置に同じニックネームが登録されない構成とした。【選択図】  図６
2007221686.tif 000002
【特許請求の範囲】
【請求項１】
被写体を撮像する撮像手段と、
外部装置と無線通信により接続され、前記撮像手段により撮像した画像を送受信する第１通信手段と、
装置を識別するための識別値を記憶する識別値記憶手段と、
前記第１通信手段によって接続する外部装置の登録処理を開始する登録処理開始手段と、
前記第１通信手段とは別に、外部装置と無線通信により接続され、前記識別値の送受信を行う第２通信手段と、
前記登録処理開始手段による登録処理の開始後であって前記第２通信手段による通信前に、前記識別値記憶手段に記憶された自機の識別値をユーザに変更させるための画面を表示する表示手段を有する無線通信可能な撮像装置。
【請求項２】
前記第２通信手段により自機の無線通信を行うためのパラメータ及び前記識別値を接続先に送信する送信手段と、
前記第２通信手段により接続先の前記パラメータ及び識別値を接続先から受信する受信手段と、
前記送信手段により送信した自機の識別値と同一の識別値が、既に前記接続先に記録されている場合に、前記自機の識別値を変更する変更手段を有することを特徴とする請求項１に記載の無線通信可能な撮像装置。
【請求項３】
前記識別値記憶手段は、複数の自機の識別値を記憶することを特徴とし、
前記複数の自機の識別値のうち１つを接続先に送信し、前記送信手段により送信した自機の識別値と同一の識別値が既に前記接続先に記録されているか否かを判断する判断手段と、
前記送信手段は、前記判断手段により同一の識別値が既に前記接続先に記録されていると判断した場合には、他の識別値を送信することを特徴とする請求項２に記載の無線通信可能な撮像装置。
【請求項４】
前記表示手段は、前記設定手段によるパラメータの設定を行うための一連の設定メニュー画面を表示することを特徴とし、
前記一連の設定メニュー画面は、前記識別値記憶手段に記憶された自機の識別値をユーザに変更させるための画面を含むことを特徴とする請求項１乃至３に記載の無線通信可能な撮像装置。
【請求項５】
被写体を撮像する撮像手段と、
外部装置と無線通信により接続され、前記撮像手段により撮像した画像を送受信する第１通信手段と、
装置を識別するための識別値を記憶する識別値記憶手段と、
前記第１通信手段によって接続する外部装置の登録処理を開始する登録処理開始手段と、
前記第１通信手段とは別に、外部装置と無線通信により接続され通信を行う第２通信手段と、
前記第２通信手段により、自機の前記パラメータ及び識別値を接続先に送信する送信手段と、
前記第２通信手段により接続先の前記パラメータ及び識別値を接続先から受信する受信手段と、
前記受信手段により受信した識別値と同一の識別値が前記記憶手段に記憶されているか否かを判断する判断手段と、
前記判断手段により、前記同一の識別値が前記記憶手段に記憶されていると判断した場合には、その旨を接続先に通知する第１の通知手段を有することを特徴とする無線通信可能な撮像装置。
【請求項６】
前記判断手段により、前記同一の識別値が前記記憶手段に記憶されていると判断した場合には、前記受信手段により受信した識別値を変更する変更手段を有し、
前記第１の通知手段は、前記変更手段により変更した識別値を接続先に通知することを特徴とする請求項５に記載の無線通信可能な撮像装置。
【請求項７】
被写体を撮像する撮像工程と、
外部装置と無線通信により接続され、前記撮像工程により撮像した画像を送受信する第１通信工程と、
装置を識別するための識別値を記憶する識別値記憶工程と、
前記第１通信工程によって接続する外部装置の登録処理を開始する登録処理開始工程と、
前記第１通信工程とは別に、外部装置と無線通信により接続され、前記識別値の送受信を行う第２通信工程と、
前記登録処理開始工程による登録処理の開始後であって前記第２通信工程による通信前に、前記識別値記憶工程に記憶された自機の識別値をユーザに変更させるための画面を表示する表示工程を有する撮像装置の制御方法。
【請求項８】
撮像装置に、
被写体を撮像する撮像工程と、
外部装置と無線通信により接続され、前記撮像工程により撮像した画像を送受信する第１通信工程と、
装置を識別するための識別値を記憶する識別値記憶工程と、
前記第１通信工程によって接続する外部装置の登録処理を開始する登録処理開始工程と、
前記第１通信工程とは別に、外部装置と無線通信により接続され、前記識別値の送受信を行う第２通信工程と、
前記登録処理開始工程による登録処理の開始後であって前記第２通信工程による通信前に、前記識別値記憶工程に記憶された自機の識別値をユーザに変更させるための画面を表示する表示工程を実行させるプログラム。
【発明の詳細な説明】
【技術分野】
【０００１】
本発明は、無線通信可能な電子機器間において、電子機器間における無線通信のためのパラメータ及び機器の識別値を設定する技術に関する。
【背景技術】
【０００２】
現在、ネットワーク上で接続可能な電子機器間のアクセスは、各々の電子機器にユニークなアドレスを設定し、該アドレスを用いて通信等が行なわれている。例えば、イーサーネットを使用したＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）プロトコル等では、ＩＰアドレスと呼ばれるアドレスが利用されている。これは３２ビット（ＩＰｖ４）もしくは１２８ビット（ＩＰｖ６）の数値を用いたユニークなアドレスを設定し、通信等を行うものである。
【０００３】
しかし、アドレスは、電子機器が接続先の電子機器を識別するためのものであるため、人には解り難いものである。そこで、電子機器をユーザが容易に識別できるようにするため、いわゆるニックネームのような、わかりやすい装置の識別値をアドレスと対応付けて不揮発性の内部メモリに保持することができる。
【０００４】
この技術の例として、ある電子機器から他の電子機器にニックネームでアクセスすると、電子機器内に保持しているニックネームからアドレスへの変換を行なうものがある（例えば特許文献１参照）。
【特許文献１】特開２００３−２９８６１７号公報
【発明の開示】
【発明が解決しようとする課題】
【０００５】
しかし、機器のニックネームを設定・変更するか否かはユーザの判断に委ねられている場合が多い。また、ニックネームは通信を行うときに必要となるものである。特にデジタルカメラなどにおいては、デジタルカメラ単独で撮像という機能を果たすため、予めユーザ側でニックネームを設定しておく必要性は高くない。このような場合には、他の機器と接続を行う段階になって初めてニックネームを設定・変更する必要に迫られる場合が多い。
【０００６】
しかし、ニックネームがデフォルト値のままであったり、接続先に既に同じニックネームが登録されている場合には、ニックネームの変更が必要になる。
【０００７】
このとき、接続処理の途中でニックネームを変更する必要が生じた場合、ユーザは接続処理を一度中止して、ニックネームを設定・変更した上で改めて接続処理を行わなければならなかった。
【０００８】
本発明は上述した課題に鑑みてなされたものであり、接続先の登録時に、登録元のニックネームを表示でき、必要に応じてニックネームを手動・自動で変更できることを目的とする。
【課題を解決するための手段】
【０００９】
上記課題を解決するために、本発明は、被写体を撮像する撮像手段と、外部装置と無線通信により接続され、前記撮像手段により撮像した画像を送受信する第１通信手段と、装置を識別するための識別値を記憶する識別値記憶手段と、前記第１通信手段によって接続する外部装置の登録処理を開始する登録処理開始手段と、前記第１通信手段とは別に、外部装置と無線通信により接続され、前記識別値の送受信を行う第２通信手段と、前記登録処理開始手段による登録処理の開始後であって前記第２通信手段による通信前に、前記識別値記憶手段に記憶された自機の識別値をユーザに変更させるための画面を表示する表示手段を有することを特徴とする。
【発明の効果】
【００１０】
本発明は、他のデジタルカメラとの無線接続の設定処理を行う際に、自機のニックネームが表示される。この構成により、ユーザは設定処理において自機のニックネームを容易に把握することができる。また接続先のデジタルカメラを持ったユーザが近くにいる場合には、そのユーザも接続先のニックネームを把握することが出来る。
【００１１】
さらに、本発明は他のデジタルカメラとの無線接続の設定処理を行う際に、自機のニックネームを変更する画面が表示される。この構成により、ユーザは無線接続の設定処理の間であっても自機のニックネームを変更することができる。
【００１２】
このことにより、ユーザはニックネームを簡便に、そして接続先にも都合のよいものに変更することができる。
【発明を実施するための最良の形態】
【００１３】
以下に、本発明の無線装置としてデジタルカメラを適用したときの実施例を、図を用いて説明する。
【００１４】
図１はデジタルカメラの例を示す図である。デジタルカメラ１００は、光学系（撮像用レンズ）１０を介して被写体像を撮影するように構成されている。光学系１０は、ズームレンズ（撮影画角を変更可能なレンズ）として構成されうる。これにより光学的なズーム機能（いわゆる光学ズーム）が提供されている。デジタルカメラ１００は、更に、撮像素子１４によって撮像される画像を電子的に切り取る（トリミング）ことによる電子的なズーム機能（いわゆる電子ズーム）を有するように構成されうる。なお、デジタルカメラ１００は、光学ズーム及び電子ズームのいずれか一方の機能のみを有するように構成される場合もある。また、光学系１０は、交換可能であってもよい。この場合は、デジタルカメラ１００の本体側から光学系１０に対して電気信号を送ることにより、光学系１０内の駆動機構が変倍用のレンズを駆動してズーム機能を提供する。また、デジタルカメラ１００の本体側に光学系１０内の変倍用のレンズを機械的に駆動する駆動機構を設けてもよい。
【００１５】
光学系（撮影レンズ）１０を通る被写体からの光線（光学的な画角内から入射する光線）は、絞り機能を備えるシャッター１２の開口を通して撮像素子（例えば、ＣＣＤセンサ、ＣＭＯＳセンサ）１４の撮像面に被写体の光学像を形成する。撮像素子１４は、この光学像を電気的なアナログ画像信号に変換して出力する。Ａ／Ｄ変換器１６は、撮像素子１４から提供されるアナログ画像信号をデジタル画像信号に変換する。撮像素子１４及びＡ／Ｄ変換器１６は、タイミング発生回路１８から提供されるクロック信号や制御信号によって制御される。タイミング発生回路１８は、メモリ制御回路２２及びシステム制御回路５０により制御される。
【００１６】
画像処理回路２０は、Ａ／Ｄ変換器１６から提供される画像データ（デジタル画像信号）又はメモリ制御回路２２から提供される画像データに対して画素補間処理や色変換処理等の画像処理を行う。また、画像処理回路２０は、撮像素子１４で撮像された画像データに基づいて、ＴＴＬ（スルー・ザ・レンズ）方式のＡＦ（オートフォーカス）処理、ＡＥ（自動露出）処理、ＥＦ（フラッシュプリ発光による自動調光）処理のためのデータを演算する。そしてその演算結果をシステム制御回路５０に提供する。システム制御回路５０は、この演算結果に基づいて露光制御部４０、測距制御部（ＡＦ制御部）４２を制御し、自動露出やオートフォーカス機能を実現している。更に、画像処理回路２０は、撮像素子１４で撮像された画像データに基づいてＴＴＬ方式のＡＷＢ（オートホワイトバランス）処理も実行する。
【００１７】
メモリ制御回路２２は、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００１８】
Ａ／Ｄ変換器１６から出力される画像データは、画像処理回路２０及びメモリ制御回路２２を介して、又は、画像処理回路２０を介することなくメモリ制御回路２２を介して、画像表示メモリ２４或いはメモリ３０に書き込まれる。
【００１９】
画像表示メモリ２４に書き込まれた表示用の画像データは、Ｄ／Ａ変換器２６によって表示用のアナログ画像信号に変換されて画像表示部２８に提供され、これにより画像表示部２８に撮像画像が表示される。画像表示部２８に撮像画像を連続的に表示することにより、電子ファインダー機能が実現される。画像表示部２８は、システム制御回路５０からの指令によって任意に表示をＯＮ／ＯＦＦされうる。表示をＯＦＦにして使用することにより、デジタルカメラ１００の電力消費を大幅に低減することができる。
【００２０】
メモリ３０は、撮影（記録媒体に記録する画像として撮像）した静止画像や動画像を格納するために使用される。メモリ３０の容量やアクセス速度（書き込み速度、読み出し速度）は、任意に決定されうるが、複数枚の静止画像を連続して撮影する連射撮影やパノラマ撮影を可能にするためには、それに応じた容量やアクセス速度を与える必要がある。メモリ３０は、システム制御回路５０の作業領域としても使用されうる。
【００２１】
圧縮・伸長回路３２は、例えば適応離散コサイン変換（ＡＤＣＴ）等により画像データを圧縮・伸長する回路である。メモリ３０に格納された画像データを読み込んで圧縮処理或いは伸長処理を行い、処理を終えた画像データをメモリ３０に書き込むように構成されうる。
【００２２】
露光制御部４０は、システム制御回路５０から提供される情報に基づいて、絞り機能を備えるシャッター１２を制御する。露光制御部４０は、フラッシュ（発光装置）４８と連携したフラッシュ調光機能も有しうる。フラッシュ４８は、フラッシュ調光機能及びＡＦ補助光の投光機能を有する。
【００２３】
測距制御部４２は、システム制御回路５０から提供される情報に基づいて、光学系１０のフォーカシング用レンズを制御する。ズーム制御部４４は、光学系１０のズーミングを制御する。バリア制御部４６は、光学系１０を保護するバリア１０２の動作を制御する。
【００２４】
表示部（例えば、ＬＣＤ、ＬＥＤ）５４、音源（例えば、スピーカ）５５は、それぞれ１又は複数の素子で構成され、システム制御回路５０におけるプログラムの実行に応じて、文字、画像、音声等により動作状態やメッセージ等を出力するように構成される。表示部５４は画像処理装置１００の適所に配置される。表示部５４を構成する一部の表示素子は、光学ファインダー１０４内に配置されうる。
【００２５】
表示部５４に表示される情報のうち、ＬＣＤ等に表示される情報としては、例えば、シングルショット／連写撮像表示、セルフタイマー表示、圧縮率表示、記録画素数表示、記録枚数表示、残撮像可能枚数表示、シャッタースピード表示などがある。この他にも、絞り値表示、露出補正表示、フラッシュ表示、赤目緩和表示、マクロ撮像表示、ブザー設定表示、時計用電池残量表示、電池残量表示、エラー表示、複数桁の数字による情報表示などがある。さらには、記憶媒体２００及び２１０の着脱状態表示、通信Ｉ／Ｆ動作表示、日付・時刻表示などがある。
【００２６】
また、表示部５４に表示される情報のうち、光学ファインダー１０４内に表示される情報としては、例えば、合焦表示、手振れ警告表示、フラッシュ充電表示、シャッタースピード表示、絞り値表示、露出補正表示、等がある。
【００２７】
不揮発性メモリ５６は、例えばＥＥＰＲＯＭ等の、電気的に消去・記録可能が可能なメモリである。画像データや外部機器からのオブジェクトデータは、不揮発性メモリ５６に格納されてもよい。また、ネットワークに接続するための設定パラメータ領域を、別途不揮発性メモリ５６に設ける。
【００２８】
第１シャッタースイッチ（ＳＷ１）６２は、シャッターボタン３１０の操作途中（半押し）でＯＮとなり、ＡＦ（オートフォーカス）処理、ＡＥ（自動露出）処理、ＡＷＢ（オートホワイトバランス）処理等の開始をシステム制御回路５０に指示する。第２シャッタースイッチＳＷ２（６４）は、シャッターボタン３１０の操作完了（全押し）でＯＮとなる。ＳＷ２（６４）は、撮像素子１４から画像信号を読み出してＡ／Ｄ変換器１６でデジタル画像データに変換した後にこれを画像処理部２０で処理し、メモリ制御部２２を介してメモリ３０に書き込む処理の開始をシステム制御部５０に指示する。ＳＷ２（６４）はまた、メモリ３０から画像データを読み出して圧縮・伸長部３２で圧縮し、その圧縮された画像データを記憶媒体２００又は２１０に書き込む処理を含む一連の処理（撮像処理）の開始をシステム制御部５０に指示する。
【００２９】
ズーム操作部６５は、撮影画角（ズーム倍率或いは撮影倍率）を変更するために撮影者によって操作される操作部であって、例えば、スライド式の操作部材又はレバー式の操作部材とその動作を検知するスイッチ又はセンサとによって構成されうる。
【００３０】
操作部７０は、図２に示すボタン又はスイッチ２５１〜２６２を含み、電源をＯＮ／ＯＦＦしたり、撮影条件を設定或いは変更したり、撮影条件を確認したり、デジタルカメラ１００の状態を確認したり、撮影済みの画像を確認したりする際に使用される。
【００３１】
電源制御部８０は、例えば、電源検出回路、ＤＣ−ＤＣコンバータ、通電するブロックを切り替えるスイッチ回路等を含む。そして電源の有無、電源の種類、電池残量の検出を行い、その検出結果とシステム制御回路５０からの指令に従ってＤＣ−ＤＣコンバータを制御し、必要な電圧を必要な期間に各ブロックに供給する。デジタルカメラ１００の本体、電源８６は、それぞれコネクタ８２、８４を有し、これによって接続される。電源８６は、例えば、アルカリ電池やリチウム電池等の一次電池や、ＮｉＣｄ電池やＮｉＭＨ電池、Ｌｉ電池等の二次電池、ＡＣアダプター等である。
【００３２】
記録媒体２００、２１０は、コネクタ２０６、２１６によってデジタルカメラ１００の本体のコネクタ９２、９６に接続される。記録媒体２００、２１０は、例えば、半導体メモリ又はハードディスク等の記録部２０２、２１２と、インターフェース２０４、２１４とを含み、デジタルカメラ１００の本体側のインターフェース９０、９４を介してデジタルカメラ１００内のバスに接続される。記録媒体着脱検知部９８は、コネクタ９２、９６に記録媒体２００、２１０が接続されているか否かを検知する。
【００３３】
なお、この例では、記録媒体を取り付けるインターフェース及びコネクタを２系統有するものとして説明されているが、これらは１系統でもよいし、３系統以上でもよい。複数系統のインターフェース及びコネクタを備える場合は、それらは互いに異なる仕様を有していてもよい。インターフェース及びコネクタとしては、例えば、ＰＣＭＣＩＡカードやＣＦ（コンパクトフラッシュ（登録商標））カード等の規格に準拠したものを採用しうる。
【００３４】
インターフェース９０及び９４、並びにコネクタ９２及び９６としてＰＣＭＣＩＡカードやＣＦ（コンパクトフラッシュ（登録商標））カード等の規格に準拠したものを採用することができる。この場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することができる。そして他のコンピュータやプリンタ等の周辺機器との間で画像データや画像データに付属した管理情報を相互に転送することができる。
【００３５】
光学ファインダー１０４は、画像表示部２８による電子ファインダー機能を使用することなしに撮影を行うことを可能にする。光学ファインダー１０４内には、表示部５４の一部を構成する表示素子、例えば、合焦表示、手振れ警告表示、フラッシュ充電表示、シャッタースピード表示、絞り値表示、露出補正表示を行うための表示素子が配置されうる。
【００３６】
デジタルカメラ１００は通信回路１１０を有し、ＵＳＢ、ＩＥＥＥ１３９４、Ｐ１２８４、ＳＣＳＩ、モデム、ＬＡＮ、ＲＳ２３２Ｃ、無線通信等の各種通信機能を提供する。通信回路１１０には、デジタルカメラ１００を他の機器と接続するためのコネクタ１１２、又は、無線通信機能を提供する際にはアンテナが接続されうる。
【００３７】
本実施形態では、この通信回路１１０は無線ＬＡＮ（ＩＥＥＥ８０２・１１ｘ）インタフェースおよびＵＳＢの両インターフェースを備えるものとして説明する。またそれとは別に、電波の弱い無線通信をおこなうためのインターフェースも備えるものとする。この無線通信は無線ＬＡＮでも赤外線通信でも無線であればなんでもよく、その接続設定値は既に不揮発性メモリ５６の無線設定領域にあらかじめ記録されているものとする。
【００３８】
図２は、デジタルカメラ１００の外観構成の一例を示す図である。なお、図２においては、説明のために不要な構成部分は省略されている。
【００３９】
電源ボタン２５１は、デジタルカメラ１００を起動及び停止させるため、或いは、デジタルカメラ１００の主電源をＯＮ／ＯＦＦするボタンである。メニューボタン２５２は、各種の撮像条件の設定のため、及び、デジタルカメラ１００の状態を表示させるためのメニュー（メニューは、選択可能な及び／又は値を変更可能な複数の項目を含んで構成されうる）を表示するためのボタンである。例えば、メニューボタン２５２が押下されると、システム制御回路５０は、画像表示部２８にメニューを表示させる。メニューは、撮像中の画像の上に合成して表示されてもよいし、単独で表示（例えば、所定の背景色の上に表示）されてもよい。メニューが表示されている状態で再度メニューボタン２５２が押下されると、システム制御回路５０は、画像表示部２８へのメニューの表示を終了させる。
【００４０】
決定ボタン２５３は、モード或いは項目を決定或いは選択する際に押下される。システム制御回路５０は、決定ボタン２５３が押下されると、そのときに選択されているモード或いは項目を設定する。表示ボタン２５４は、撮像した画像についての撮影情報の表示・非表示を選択したり、画像表示部２８を電子ファインダーとして機能させるか否かを切り替えたりするために使用される。
【００４１】
左ボタン２５５、右ボタン２５６、上ボタン２５７、下ボタン２５８（方向選択キー）は、カーソル又はハイライト部等のような、複数の選択肢の中で選択されている選択肢（例えば、項目、画像）を変更するために用いられる。また、選択されている選択肢を特定する指標の位置を変更するため、数値（例えば、補正値や日時等を示す数値など）を増減させるためにも使用されうる。ここで、左ボタン２５５、右ボタン２５６、上ボタン２５７、下ボタン２５８によって、複数の項目の中から１つの項目のみを選択する他、２つ以上の項目を選択することができるようにユーザインターフェースが構成されることが好ましい。例えば、システム制御回路５０は、決定ボタン２５３が押下された状態で左ボタン２５５、右ボタン２５６、上ボタン２５７、下ボタン２５８が操作された場合に、その操作によって指定された２以上の項目が選択されたものと認識するように構成されうる。
【００４２】
シャッターボタン２６０は、前述のように、例えば半押し状態で、ＡＦ（オートフォーカス）処理、ＡＥ（自動露出）処理、ＡＷＢ（オートホワイトバランス）処理、ＥＦ（フラッシュプリ発光）処理等の開始がシステム制御回路５０に指示される。また、全押し状態で、撮影がシステム制御回路５０に指示されるように構成されうる。
【００４３】
録画／再生切り替えスイッチ２６１は、録画モードを再生モードに、及び、再生モードを録画モードに切り替えるために使用される。
【００４４】
ジャンプキー２６２は方向選択キーと同様の働きをし、カーソル又はハイライト部等のような、複数の選択肢の中で選択されている選択肢（例えば、項目、画像）を変更するため、又は、選択されている選択肢を特定する指標の位置を変更するために使用される。ジャンプキーによるカーソル移動は、方向選択キーによるそれに比べ早く、もしくは大きく設定してもよい。
【００４５】
なお、前記のような操作系に代えて、ダイアルスイッチを採用してもよいし、他の操作系を採用することもできる。
【００４６】
以上、実施形態におけるデジタルカメラ１００の説明を行ったが、次に、実施形態におけるデジタルカメラ１００の無線ＬＡＮへの接続のための設定方法を説明する。
【００４７】
デジタルカメラ１００に無線ＬＡＮ通信機能を持たせる理由は、撮像画像等を同ネットワーク上の他のデジタルカメラに転送させるためである。
【００４８】
ただし、無線ＬＡＮに接続するためのハードウェアを有しているだけでは通信を行うことは出来ず、通信を行う際の各種設定が必要になる。通常、ＩＥＥＥ  ８０２．１１シリーズの無線ＬＡＮに接続するためには、以下の設定が必要となる。無線ＬＡＮのネットワーク識別子であるＥＳＳ−ＩＤ（Ｅｘｔｅｎｄｅｄ  Ｓｅｒｖｉｃｅ  Ｓｅｔ  Ｉｄｅｎｔｉｆｉｅｒ）、漏洩防止のための暗号化キーであるＷｅｐ  ｋｅｙ、使用するチャネルの設定である。また、通信方式としてインフラストラクチャーモードもしくはアドホックモードのいずれにするか等の各種設定が必要となる。なお、暗号化技術は公知であるので、ここでの説明については省略する。
【００４９】
これらの各種設定のために、画像転送とは異なる通信方法を用いて他の機器を探索する（以下、この通信状態を「探索モード」と呼ぶ）。接続したいデジタルカメラ同士を探索モードにしてその無線ネットワークに接続すると、互いの設定パラメータの交換を行い、互いの機器を接続先として登録する（以下この処理を「ペアリング」と呼ぶ）。ペアリングにおいてデジタルカメラ１００は、ＥＳＳ−ＩＤやＷｅｐ  Ｋｅｙ、接続先のＭＡＣアドレスなどを、無線接続のための設定パラメータとして不揮発性メモリ５６に記憶する。
【００５０】
また、デジタルカメラ１００は、カメラを識別するためのニックネームを不揮発性メモリ５６に記憶することが可能である。不揮発性メモリ５６には自機のニックネーム（以下、「自機ニックネーム」）を記憶することが可能である。また、無線ＬＡＮ通信により接続したカメラのニックネーム（以下、「他機ニックネーム」）を、同時に受信したＭＡＣアドレスと関連付けて記憶することも可能である。なお、ニックネームは複数有することも可能である。
【００５１】
まず、本実施例における自機ニックネームの設定、変更処理について述べる。
【００５２】
ユーザによってメニューボタン２５２が押下され、操作ボタン２５５、２５６を操作されると、無線設定メニューが表示される。
【００５３】
無線設定メニューを図３に示す。この画面から、ユーザは無線通信に関する設定を行うことができる。
【００５４】
３０１は接続／切断メニューであり、すでに登録された他の機器との間で無線通信により接続し、画像の転送指示などを行うメニューである。
【００５５】
３０２は接続先登録メニューであり、接続したい他の機器のパラメータを取得することで、新たな接続先として登録する指示を行うためのメニューである。このメニューがユーザ操作により選択されることで、一連の接続先の登録処理、すなわちペアリング処理が開始される。この接続先登録メニュー３０２で接続先として登録された機器へは、接続／切断メニュー３０１から接続指示を行うことが可能となる。
【００５６】
３０３は登録解除メニューであり、接続先登録メニュー３０２で登録した接続先の削除を指示するメニューである。
【００５７】
３０４はニックネーム登録メニューであり、自機ニックネームを設定・変更する指示を行うためのメニューである。ユーザによってニックネーム登録メニュー３０４が選択されると、ニックネーム登録画面が表示される。図４にニックネーム登録画面を示す。４０１はニックネーム表示部であり、現在の自機ニックネームが表示される。ユーザは方向選択キー２５５〜２５８を用いて所望のニックネームの入力を指示する。ニックネーム入力後に決定ボタン２５３が押下されると、ニックネーム表示部４０１に入力された自機ニックネームが不揮発性メモリ５６に記憶される。
【００５８】
次に、接続先登録メニュー３０２においてニックネームを設定する手法を説明する。
【００５９】
ユーザにより接続先登録メニュー３０２が選択されると、画像表示部２８に接続先選択画面が表示される。接続先選択画面を図５に示す。
【００６０】
本実施例では接続先として、カメラと、プリンタに装着する無線通信機（図中では「ＷＡ−１」という識別名）とが用意されている。図５に示す接続先選択画面にはその２つの接続先が表示されている。ユーザにより「カメラ」５０１が選択されると、他のカメラを接続先として登録する処理、すなわちカメラとのペアリングを開始する。ユーザにより「ＷＡ−１」５０２が選択されると、プリンタに装着する無線通信機を接続先として登録する処理を開始する。
【００６１】
接続先登録メニュー３０２において「カメラ」５０１が選択されると、図６に示すニックネーム事前設定画面が表示される。
【００６２】
６０１はニックネーム表示部であり、図４のニックネーム登録画面と同様の操作で自機ニックネームを設定・変更することができる。ニックネーム表示部６０１には、現在不揮発性メモリ５６に記憶されている自機ニックネームが読み出され表示される。例えば、ニックネーム登録メニュー３０４で自機ニックネームを登録しているのであれば、登録した自機ニックネームが表示される。自機ニックネームが未登録であれば、ニックネームのデフォルト値である“ＡＡＡＡＡ”が表示される。ユーザは必要に応じて、ニックネームの入力を指示することが可能である。
【００６３】
ユーザによって決定ボタン２５３が押下されると、入力されたニックネームが確定し、不揮発性メモリ５６に記憶され、ペアリングが開始される。
【００６４】
ペアリングを開始すると、図７に示す画面が表示され、デジタルカメラ１００はペアリング処理を行う。この際、デジタルカメラ１００は自機ニックネームを接続先のカメラに送信するとともに、接続先のカメラのニックネームを取得する。この際、複数の自機ニックネームが登録されている場合には、複数のうちの任意の１つが送信される。
【００６５】
ペアリングが成功すると、自機ニックネームが接続先に登録され、ペアリング処理は終了する。ペアリング処理を終了すると、図８に示す画面が表示される。８０１は自機ニックネームである。
【００６６】
ただし、接続先において、送信した自機ニックネームが既に他の機器のニックネームとして登録されている場合がある。このような場合にそのまま自機ニックネームが登録されると、接続先において、同一のニックネームを有する複数のデバイスが接続先として登録されてしまう。
【００６７】
そこで、送信した自機ニックネームは、接続先において他のニックネームに変更されてから登録される。そして接続先からニックネームを変更した旨が通知される。変更された旨が通知されると、図９に示す画面が表示される。
【００６８】
図９に示す画面により、ユーザは接続先において自機がどのようなニックネームで登録されたかを知ることができる。また、ユーザによって９０１の「変更」が選択されると、図６に示す画面が再度表示され、自機ニックネームの再変更を行うことができる。
【００６９】
なお、すでに接続先に登録されているカメラと再度ペアリングを行おうとすると、図１０に示す画面が表示される。
【００７０】
次に、本実施例のペアリング処理におけるニックネーム送受信処理のフローを説明する。図１１に本処理のフローを示す。なお、本フロー中にペアリング処理に関係のない処理や中断処理が行われた場合には、システム制御回路５０は処理を終了するものとする。
【００７１】
まず、システム制御回路５０は、ユーザ操作により、無線設定メニューにおいて接続先登録メニュー３０２が選択されたか否かを判断する（Ｓ１１０１）。
【００７２】
選択されたと判断した場合には、システム制御回路５０は接続先の登録処理を開始し、画像表示部２８に接続先選択画面を表示する（Ｓ１１０２）。選択されなかったと判断した場合にはＳ１１０２の処理を繰り返す。
【００７３】
システム制御回路５０は、接続先選択画面において「カメラ」が選択されたか否か判断する（Ｓ１１０３）。選択されたと判断した場合には、システム制御回路５０は自機ニックネームを不揮発性メモリ５６から読み出し（Ｓ１１０４）、ニックネーム事前設定画面を画像表示部２８に表示する（Ｓ１１０５）。選択されなかったと判断した場合にはＳ１１０３の処理を繰り返す。
【００７４】
システム制御回路５０は、ニックネーム事前設定画面において決定ボタン２５３が押下されたか否か判断する（Ｓ１１０６）。押下されたと判断した場合には処理をステップＳ１１０７に進める。押下されていないと判断した場合にはＳ１１０６の処理を繰り返す。
【００７５】
ステップＳ１１０７において、システム制御回路５０はニックネーム事前設定画面の表示中に自機ニックネームが変更されたか否か判断する。変更されたと判断した場合には変更後の自機ニックネームを不揮発性メモリ５６に記憶する（Ｓ１１０８）。変更されていないと判断した場合には処理をステップＳ１１０９に進める。
【００７６】
ステップＳ１１０９にて、システム制御回路５０は設定パラメータの交換を行う。具体的には、デジタルカメラ１００を探索モードに切り替え、接続先のカメラを探索する。接続先のカメラを発見すると、不揮発性メモリ５６内に格納されたＭＡＣアドレスを含む設定パラメータ、及び自機ニックネームを接続先のデバイスに送信する。そして接続先のデバイス内にある設定パラメータ及びニックネームを受信し、不揮発性メモリ５６に記憶する（Ｓ１１０９）。なお、送信した自機ニックネームが接続先デバイスで変更された場合には、変更後のニックネームが接続先から送信される（後述）。この場合には、システム制御回路５０は変更後のニックネームも受信する。
【００７７】
送信後、システム制御回路５０は、同じデバイスが既に登録されている旨の通知を接続先から受けたか否か判断する（Ｓ１１１０）。
【００７８】
通知を受けなかったと判断した場合には、システム制御回路５０は、同じニックネームが既に登録されている旨の通知を接続先から受信したか否か判断する（Ｓ１１１１）。通知を受けなかったと判断した場合には、システム制御回路５０は自機ニックネーム及び登録に成功した旨を通知する画面（図８）を画像表示部２８に表示して（Ｓ１１１３）、処理を終了する。
【００７９】
なお、同じニックネームが既に登録されている旨の通知を接続先から受けなかったと判断する方法としては、一定時間通知が受信されなかった場合には通知を受けなかったと判断する方法がある。他の方法として、接続先から登録に成功した旨の通知を送信してもらい、その成功した旨の通知を受信したらステップＳ１１１３に処理を進めてもよい。ニックネームを受信した側の処理については後で詳しく述べる。
【００８０】
ステップＳ１１１０において同じデバイスが既に登録されている旨の通知を接続先から受けたと判断した場合には、システム制御回路５０はその旨を通知する画面（図１０）を画像表示部２８に表示して（Ｓ１１１９）、処理を終了する。
【００８１】
ステップＳ１１１１において同じニックネームが既に登録されている旨の通知を受信したと判断した場合には、システム制御回路５０は処理をステップＳ１１１４に進める。
【００８２】
システム制御回路５０は、不揮発性メモリ５６に記憶された自機ニックネームのうち、まだ接続先に送信していないニックネームがあるか否かを判断する（Ｓ１１１４）。
【００８３】
まだ接続先に送信していないニックネームがあると判断した場合には、システム制御回路５０は不揮発性メモリ５６から他の自機ニックネームを読み出し、接続先に送信する（Ｓ１１１６）。そして処理をステップＳ１１１１に戻し、再度接続先からの通知を待つ。
【００８４】
接続先に送信していない自機ニックネームがないと判断した場合には、システム制御回路５０は送信したニックネームが接続先にて変更されたことを通知する画面（図９）を表示する（Ｓ１１１５）。
【００８５】
ステップＳ１１１５で表示した画面において、ユーザ操作により「ＯＫ」が選択されたと判断した場合には（Ｓ１１１７）、システム制御回路５０は処理をステップＳ１１１３に進める。「変更」が選択されたと判断した場合には、処理をステップＳ１１０５に戻し、再度ニックネームを変更するための画面を画像表示部２８に表示する。
【００８６】
次に、ステップＳ１１０９におけるパラメータ・ニックネームの送受信のうち、受信した他機ニックネームの処理について説明する。
【００８７】
図１２に、受信した他機ニックネームの処理のフローを示す。
【００８８】
本処理は、システム制御回路５０が接続先よりＭＡＣアドレスを含む設定パラメータ・他機ニックネームの受信を確認する（Ｓ１２０１）ことにより開始する。
【００８９】
ステップＳ１２０２において、システム制御回路５０は、ステップＳ１２０１で受信したＭＡＣアドレス及びニックネームに基づき、不揮発性メモリ５６に記憶されている登録済のデバイスを検索する。
【００９０】
検索により、同一のＭＡＣアドレス及びニックネームを有するデバイスが登録されていると判断した場合には、同じデバイスが既に登録済みであると判断し、処理をステップＳ１２１０に進める。
【００９１】
ステップＳ１２１０において、システム制御回路５０は同じデバイスである旨の通知を接続先のデバイスに送信し、処理を終了する。
【００９２】
ステップＳ１２０２において、同一のＭＡＣアドレス及びニックネームを有するデバイスが登録されていないと判断した場合には、システム制御回路５０は処理をステップＳ１２０３に進める。
【００９３】
ステップＳ１２０３において、システム制御回路５０はステップＳ１２０１で受信した他機ニックネームと同一のニックネームを有するデバイスが既に登録済みか否かを判断する。この際、受信した他機ニックネームに基づき不揮発性メモリ５６を検索することになるが、ステップＳ１２０２における検索結果を用いてもよい。
【００９４】
同一のニックネームを有するデバイスが登録されていない、すなわち不揮発性メモリ５６に記憶されていないと判断した場合には、システム制御回路５０は登録通知を接続先に送信し（Ｓ１２０９）、処理を終了する。この通知を受けた接続先デバイスでは、ニックネームが確定され、記憶される（図１１のステップＳ１１１２）。
【００９５】
ステップＳ１２０３において同一のニックネームを有するデバイスが登録されていると判断した場合には、システム制御回路５０はステップＳ１２０１で受信した他機ニックネームを変更する（Ｓ１２０４）。他機ニックネームの変更規則は任意の方法を用いてよく、現在登録されている他機ニックネームとの重複が起こらないようなニックネームに変更すればよい。例えばランダムな文字列を生成した後に重複がないかチェックしてもよいし、ニックネームを昇順にソートし、ソートの一番末尾の文字列よりもソート順が後ろになるような文字列を生成してもよい。
【００９６】
ステップＳ１２０５において、システム制御回路５０は受信したニックネームは登録済である旨の通知を接続先のデバイスに送信する。
【００９７】
登録済である旨の通知後、システム制御回路５０は接続先のデバイスから送信された他のニックネームを受信したか否かを判断する（Ｓ１２０６）。
【００９８】
他のニックネームを受信したと判断した場合には、システム制御回路５０は、受信した他のニックネームを接続先のニックネームとして登録し（Ｓ１２０８）、処理をステップＳ１２０３に戻す。
【００９９】
他のニックネームを受信していないと判断した場合には、システム制御回路５０は、ステップＳ１２０４で変更したニックネームを接続先のニックネームとして登録し（Ｓ１２０７）、処理を終了する。
【０１００】
本実施例では、受信側のデバイスで受信したニックネームを変更する構成としたが、本発明はこの実施例には限定されない。
【０１０１】
例えば、次の構成が考えられる。図１２のステップＳ１２０５において、受信側のデバイスで登録済のニックネームである旨の通知のみを送信する。通知を受けた送信側のデバイスは自機ニックネームを変更し、再度受信側のデバイスに変更後の自機ニックネームを送信する。そして受信側のデバイスは変更後のニックネームについて、登録済か否かを再度判断する。このような構成とすれば、ペアリング時に自機ニックネームと他機ニックネームの整合をとることが可能となる。
【０１０２】
なお、本実施例において、ニックネームを送信したデバイスの処理（図１１）と受信したデバイスの処理（図１２）を分けて説明した。しかし、実際のペアリングの際には設定パラメータ及びニックネームをデバイス同士で交換するため、１つのデバイス内で送信と受信の両方が行われる。従って、送信処理と受信処理は一連の処理として連続して行われる、あるいは並行して行われることになる。
【０１０３】
以上の処理によりペアリングが完了すると、デジタルカメラ間での画像の転送が可能となる。図３の無線設定メニューのうち、接続／切断メニューがユーザ操作により選択されると、ペアリング済の接続先一覧画面が表示される（図示せず）。この際、接続先の名前として不揮発性メモリ５６から読み出されたニックネームが表示される。
【０１０４】
ユーザ操作により接続先が選択されると、デジタルカメラ１００は選択された接続先との接続を開始する。
【０１０５】
接続が確立すると、デジタルカメラ１００は接続先との間で画像の送受信が可能となる。
【０１０６】
以上述べたように、本実施例では、ペアリング処理の際に自機ニックネームが表示される構成とした。この構成により、ユーザは他のカメラとのペアリングを開始する前に、自機のニックネームを容易に確認することができる。また、ペアリングする機器を持つ他のユーザが近くにいる場合には、お互いの機器のニックネームを確認し合うことができる。
【０１０７】
また、本実施例では、ペアリング処理の際にニックネームの設定・変更を行える構成とした。この構成により、ユーザはペアリング処理中にニックネームを設定・変更したい場合であっても、ペアリング処理を中断してニックネーム登録メニューに戻る必要がないため、煩雑な操作が不要となる。
【０１０８】
また、本実施例では、受信したニックネームと同じニックネームが既に登録されていた場合には、自動的にニックネームを変更した上でその旨を接続先のデバイスに通知し、通知を受けたデバイスはニックネームの変更が行える構成とした。この構成により、ニックネームの重複を防ぐとともに、よりユーザの自由度の高いニックネームを登録することが可能となる。
【０１０９】
また、本実施例では、複数のニックネームを登録することが可能であり、複数のニックネームのうち、ニックネームの重複が起きないものを接続先に登録させる構成とした。この構成により、ニックネームの重複を防ぎつつ、ペアリングしたデバイス間で同じニックネームを共有することが可能となる。
【図面の簡単な説明】
【０１１０】
【図１】実施例１におけるデジタルカメラのハードウェア構成例を示す図である。
【図２】実施例１におけるデジタルカメラの外観構成の一例を示す図である。
【図３】実施例１における無線設定メニュー画面を示す図である。
【図４】実施例１におけるニックネーム登録画面を示す図である。
【図５】実施例１における接続先選択画面を示す図である。
【図６】実施例１におけるニックネーム事前設定画面を示す図である。
【図７】実施例１における登録中画面を示す図である。
【図８】実施例１における登録成功画面を示す図である。
【図９】実施例１における変更通知画面を示す図である。
【図１０】実施例１における既に同一デバイスが登録されている旨を通知する画面を示す図である。
【図１１】実施例１における送信側のフローを示す図である。
【図１２】実施例１におけるを受信側のフローを示す図である。
【図１】
2007221686.tif 000003
【図２】
2007221686.tif 000004
【図３】
2007221686.tif 000005
【図４】
2007221686.tif 000006
【図５】
2007221686.tif 000007
【図６】
2007221686.tif 000008
【図７】
2007221686.tif 000009
【図８】
2007221686.tif 000010
【図９】
2007221686.tif 000011
【図１０】
2007221686.tif 000012
【図１１】
2007221686.tif 000013
【図１２】
2007221686.tif 000014